(57)【要約】【課題】エレベータメンテナンス支援システムとして、簡単な操作で引き出すことができ、小さな収納スペースで収納できるかご内の作業用足場台を備えることを可能とすることである。【解決手段】エレベータメンテナンス支援システム１０は、エレベータの乗りかご１２の室内床パネル２０のうちの１つの開閉可能なパネル２２と、開閉可能なパネル２２の床下側に設けられる床下収納部２４と、開閉可能なパネル２２と床下収納部２４を係止または解除する一対の係止部２６，２７と、床下収納部２４に折畳んだ状態で収納され、展開することでエレベータ室内に立脚することができる脚立機構３０と、エレベータシステムの点検モード切換信号またはかご内に特別に設けられる脚立出入スイッチのＯＮ信号によって、一対の係止部２６，２７による係止を解除する係止制御部６６を備える。【選択図】図１
2010159153.tif 000002
【特許請求の範囲】
【請求項１】
エレベータかごの室内床パネルのうちの１つのパネルであって、床面から開閉可能なパネルと、
開閉可能なパネルの床下側に設けられる床下収納部と、
開閉可能なパネルを床下収納部に係止し、予め定めた所定の電気信号によって係止を解除可能な係止機構と、
床下収納部に折畳んだ状態で収納され、展開することでエレベータ室内に立脚することができる脚立機構であって、作業者の足を乗せるための乗り板と、乗り板の一方側に設けられる乗り板一方側回転中心軸と床下収納部の一方脚回転中心軸との間に設けられる一方脚と、乗り板の他方側に設けられる乗り板他方側回転中心軸と床下収納部の他方脚回転中心軸との間に設けられる他方脚と、一方脚と他方脚との間を斜めに接続する掛け金部とを含む脚立機構と、
を備えることを特徴とするエレベータメンテナンス支援システム。
【請求項２】
請求項１に記載のエレベータメンテナンス支援システムにおいて、
脚立機構は、一方脚回転中心軸側から一方脚と乗り板とを直線状に延ばし、乗り板他方側回転中心軸側から他方脚を他方脚回転中心軸側へ折り返して折畳まれ、床下収納部に収納されることを特徴とするエレベータメンテナンス支援システム。
【請求項３】
請求項２に記載のエレベータメンテナンス支援システムにおいて、
脚立機構は、
乗り板一方側回転中心軸と乗り板他方側回転中心軸との間の間隔距離が、床下収納部に設けられる一方脚回転中心軸と他方脚回転中心軸の間の間隔距離と同じであることを特徴とするエレベータメンテナンス支援システム。
【請求項４】
請求項１に記載のエレベータメンテナンス支援システムにおいて、
脚立機構は、一方脚と他方脚がそれぞれ梯子状形状を有し、一方脚の幅方向の外側寸法が、他方脚の幅方向の内側寸法よりも小さいことを特徴とするエレベータメンテナンス支援システム。
【請求項５】
請求項１に記載のエレベータメンテナンス支援システムにおいて、
係止機構は、所定の電気信号として、エレベータシステムの点検モード切換信号またはかご内に特別に設けられる脚立出入スイッチのＯＮ信号によって、係止が解除されることを特徴とするエレベータメンテナンス支援システム。
【発明の詳細な説明】
【技術分野】
【０００１】
本発明は、エレベータメンテナンス支援システムに係り、特にエレベータかご内におけるメンテナンス作業を支援するエレベータメンテナンス支援システムに関する。
【背景技術】
【０００２】
エレベータのかご内の天井には、照明装置が設けられ、場合によっては換気装置、あるいは天井を介してかご上に出るための天井出口板等も設けられる。これらの天井に設けられる照明装置、換気装置のメンテナンス作業、あるいは、天井出口板を押し上げてかご上に出る作業等の場合には、適当な足場台、脚立等が用いられる。これらの足場台、脚立等は、メンテナンス作業等で必要になったときに、例えば、エレベータ設備の機械室、あるいはその建物の保安室等から一々運び込まれ、作業が終わるとまた運び出される。このように、かご内の天井に関するメンテナンス作業には、足場台等を一々運ぶことが必要で、不便である。
【０００３】
そこで特許文献１には、エレベータかごの床下収納式足場台として、エレベータかごの床の９個の床タイルの中の中央タイルに収納取っ手を設け、これを引き上げると、Ｘ字型に連結された１対の長部材によって構成される伸縮要素を備える床下収納式足場台を上方に引き出すことができることが開示されている。
【０００４】
なお、特にメンテナンス作業用としてではないが、特許文献２には、折り畳み式椅子付エレベータとして、かご室の室内壁に折り畳み式椅子を折畳んだ状態で収納する構成が開示されている。
【先行技術文献】
【特許文献】
【０００５】
【特許文献１】特開平９−３０９６７７号公報
【特許文献２】特開２００２−６０１６９号公報
【発明の概要】
【発明が解決しようとする課題】
【０００６】
このように、従来技術によれば、かご内に伸縮足場台、折り畳み式椅子を設けることができるので、これをメンテナンス用に応用することが考えられる。しかし、エレベータのかごは限られたスペースで、余り大きな収納スペースを確保できない。そこで、小さな収納スペースで簡単な操作で引き出すことができる作業用足場台が望まれる。
【０００７】
本発明の目的は、簡単な操作で引き出すことができるかご内の作業用足場台を備えるエレベータメンテナンス支援システムを提供することである。他の目的は、小さな収納スペースで収納できるかご内の作業用足場台を備えるエレベータメンテナンス支援システムを提供することである。以下の手段は、上記目的の少なくとも１つに貢献する。
【課題を解決するための手段】
【０００８】
本発明に係るエレベータメンテナンス支援システムは、エレベータかごの室内床パネルのうちの１つのパネルであって、床面から開閉可能なパネルと、開閉可能なパネルの床下側に設けられる床下収納部と、開閉可能なパネルを床下収納部に係止し、予め定めた所定の電気信号によって係止を解除可能な係止機構と、床下収納部に折畳んだ状態で収納され、展開することでエレベータ室内に立脚することができる脚立機構であって、作業者の足を乗せるための乗り板と、乗り板の一方側に設けられる乗り板一方側回転中心軸と床下収納部の一方脚回転中心軸との間に設けられる一方脚と、乗り板の他方側に設けられる乗り板他方側回転中心軸と床下収納部の他方脚回転中心軸との間に設けられる他方脚と、一方脚と他方脚との間を斜めに接続する掛け金部とを含む脚立機構と、を備えることを特徴とする。
【０００９】
また、本発明に係るエレベータメンテナンス支援システムにおいて、脚立機構は、一方脚回転中心軸側から一方脚と乗り板とを直線状に延ばし、乗り板他方側回転中心軸側から他方脚を他方脚回転中心軸側へ折り返して折畳まれ、床下収納部に収納されることが好ましい。
【００１０】
また、本発明に係るエレベータメンテナンス支援システムにおいて、脚立機構は、乗り板一方側回転中心軸と乗り板他方側回転中心軸との間の間隔距離が、床下収納部に設けられる一方脚回転中心軸と他方脚回転中心軸の間の間隔距離と同じであることが好ましい。
【００１１】
また、本発明に係るエレベータメンテナンス支援システムにおいて、脚立機構は、一方脚と他方脚がそれぞれ梯子状形状を有し、一方脚の幅方向の外側寸法が、他方脚の幅方向の内側寸法よりも小さいことが好ましい。
【００１２】
また、本発明に係るエレベータメンテナンス支援システムにおいて、係止機構は、所定の電気信号として、エレベータシステムの点検モード切換信号またはかご内に特別に設けられる脚立出入スイッチのＯＮ信号によって、係止が解除されることが好ましい。
【発明の効果】
【００１３】
上記構成により、エレベータメンテナンス支援システムは、エレベータかごの床面から開閉可能なパネルと、開閉可能なパネルの床下側に設けられる床下収納部と、開閉可能なパネルを床下収納部に係止して電気信号によって係止を解除可能な係止機構と、床下収納部に折畳んだ状態で収納され、展開することでエレベータ室内に立脚することができる脚立機構を備える。
【００１４】
そして、脚立機構は、作業者の足を乗せるための乗り板と、乗り板の一方側に設けられる乗り板一方側回転中心軸と床下収納部の一方脚回転中心軸との間に設けられる一方脚と、乗り板の他方側に設けられる乗り板他方側回転中心軸と床下収納部の他方脚回転中心軸との間に設けられる他方脚と、一方脚と他方脚との間を斜めに接続する掛け金部とを含む。このように脚立機構は、複数の回転中心軸とその間を接続する複数の部材で構成されるリンク機構で、その２つの回転中心軸が床下収納部に設けられるので、この２つの回転中心軸を中心にして折畳まれた状態から簡単に引き出すことができる。
【００１５】
また、エレベータメンテナンス支援システムにおいて、脚立機構は、一方脚回転中心軸側から一方脚と乗り板とを直線状に延ばし、乗り板他方側回転中心軸側から他方脚を他方脚回転中心軸側へ折り返して折畳まれ、床下収納部に収納される。このように、リンク機構を折り返し形態で折畳むので、床下収納部を小さな容積とすることができる。
【００１６】
また、エレベータメンテナンス支援システムにおいて、脚立機構は、乗り板一方側回転中心軸と乗り板他方側回転中心軸との間の間隔距離が、床下収納部に設けられる一方脚回転中心軸と他方脚回転中心軸の間の間隔距離と同じである。これによって、折り返し状態のときにほとんど一直線状に折畳むことができ、床下収納部を浅くできる。
【００１７】
また、エレベータメンテナンス支援システムにおいて、脚立機構は、一方脚と他方脚がそれぞれ梯子状形状を有し、一方脚の幅方向の外側寸法が、他方脚の幅方向の内側寸法よりも小さいので、折畳んだときに一方脚が他方脚の内側に収納され、空間利用率が向上し、床下収納部をさらに小さな容積とすることができる。
【００１８】
また、エレベータメンテナンス支援システムにおいて、係止機構は、所定の電気信号として、エレベータシステムの点検モード切換信号またはかご内に特別に設けられる脚立出入スイッチのＯＮ信号によって、係止が解除される。このように特別な信号によって開閉可能なパネルの係止を解除するので、メンテナンス作業に関係のないユーザ等によってみだりに脚立が引き出されることを防止できる。
【図面の簡単な説明】
【００１９】
【図１】本発明に係る実施の形態におけるエレベータメンテナンス支援システムの構成を説明する図である。
【図２】本発明に係る実施の形態において、開閉可能なパネルを開いて脚立機構を立脚させたときの正面図である。
【図３】本発明に係る実施の形態において、脚立機構を折畳んで床下収納部に収納し、開閉可能なパネルでその開口部を覆ったときの平面図である。
【図４】本発明に係る実施の形態において、一般的な脚立の外観に近づけた脚立機構の構成を説明する図である。
【発明を実施するための形態】
【００２０】
以下に図面を用いて本発明に係る実施の形態につき詳細に説明する。以下では、作業員によってエレベータかご内の天井の蛍光灯を交換するメンテナンス作業に用いられる脚立を説明するが、この作業は例示であって、これ以外に、天井に設けられる各種装置、例えば、換気扇、マイク、スピーカ、煙検知装置、安全灯等の設備または機器に対するメンテナンス作業であってもよい。また、機器等に対する作業でなくても、例えば、天井の清掃、天井出口板を開けてかご上に出るために用いるものであってもよい。また、脚立についての各要素の寸法、形状、材質等は、説明の例示であって、適当な変更を加えることが可能である。
【００２１】
以下では、全ての図面において同様の要素には同一の符号を付し、重複する説明を省略する。また、本文中の説明においては、必要に応じそれ以前に述べた符号を用いるものとする。
【００２２】
図１は、エレベータメンテナンス支援システム１０の構成を説明するために、１つの乗りかご１２の部分を抜き出して示す図である。このエレベータメンテナンス支援システム１０は、乗りかご１２の天井１４に設けられる蛍光灯１８を交換する作業に便利なように、折り畳み式の脚立機構３０を乗りかご１２の床面の下である床下収納部２４に設けるものである。
【００２３】
乗りかご１２は、図示されていない建物内昇降路内を昇降し、乗客等の指示に応じて目的階の間を移動する運搬かごである。乗りかご１２は、天井１４、かご扉１６、室内床面を構成する複数の室内床パネル２０および壁面を有する直方体の構造物である。
【００２４】
室内床パネル２０のうちの１つのパネルである開閉可能なパネル２２は、通常は、乗りかご１２の床面の一部を構成し、脚立機構３０を引き出したいときは、片開き扉の形態で、床面から開くことができるパネルである。図１の例では、乗りかご１２の床面を構成する１５枚の室内床パネル２０のうちで、床面の中央部に配置される１枚が開閉可能なパネル２２として示されている。
【００２５】
床下収納部２４は、開閉可能なパネル２２の床下側に設けられる空間である。床下収納部２４は、通常は開閉可能なパネル２２が閉じられて、乗りかご１２の内部からは見ることができない。つまり、開閉可能なパネル２２は、床下収納部２４の開口部を覆う蓋板の機能を有する。
【００２６】
一対の係止部２６，２７は、開閉可能なパネル２２を床下収納部２４に係止する係止機構を構成する部品である。一方の係止部２６は、床下収納部２４の側壁面に設けられ、他方の係止部２７は、開閉可能なパネル２２の底面部において、開閉可能なパネル２２が閉状態のときに一方の係止部２６に対応する箇所に設けられる。係止状態は、開閉可能なパネル２２が床下収納部２４の開口部を覆い、乗りかご１２の床面を構成するときであり、解除状態は、開閉可能なパネル２２を床面から片開き扉の形態で開き、床下収納部２４を露出するときである。係止状態と解除状態との間の切替は、次に述べる特別の電気信号によってのみ行うことができる。
【００２７】
かご扉１６の並びの内壁面に設けられるかご操作盤６０は、乗客が行き先階を登録するための行き先階ボタンが複数配列される操作盤である。
【００２８】
かご操作盤６０の近傍に設けられるメンテナンス操作盤６２は、カギの掛る扉を有し、その扉を開けると、そこにメンテナンス作業用の複数のスイッチが配置される操作盤である。したがって、メンテナンス操作盤６２の中の各スイッチは、その扉を開けるカギを有する特別の作業員または管理人のみが操作できる。
【００２９】
かご操作盤６０の中に設けられる運転モード切換スイッチ６４は、保守点検の際にこれを操作し、エレベータの運転モードを、乗客を運搬するための通常モードから、保守点検に適した特別の点検モードに切り換えるためのスイッチである。点検モードに切り換えると、運転モード切換スイッチ６４は点検モード切換信号を出力し、この信号が図示されていない運行制御装置に伝送される。運行制御装置はこの信号を受け取ると、エレベータの運行を通常モードから点検モードに切り換える。
【００３０】
かご操作盤６０に設けられる脚立出入スイッチ６６は、そのＯＮ信号によって一対の係止部２６，２７で構成される係止機構の係止を解除させ、そのＯＦＦ信号によって、係止機構を係止状態とする機能を有する操作スイッチである。
【００３１】
係止制御部６６は、脚立出入スイッチ６６と一対の係止部２６，２７とを接続し、脚立出入スイッチ６６のＯＮ／ＯＦＦに応じて、一対の係止部２６，２７を解除状態と係止状態の間で切換を行う機能を有する回路である。なお、運転モード切換スイッチ６４が出力する点検モード切換信号によって一対の係止部２６，２７を解除状態と係止状態の間で切換を行うものとしてもよい。図１では、運転モード切換スイッチ６４と係止制御部６６とを破線で接続してそのことを示してある。
【００３２】
このように、係止機構を構成する一対の係止部２６，２７を解除状態と係止状態の間での切換は、カギの掛るメンテナンス操作盤６２の中の脚立出入スイッチ６６または運転モード切換スイッチ６４の操作によってのみ行うことができる。したがって、特定の作業員または管理人のみが脚立の出入操作を行うことが可能である。なお、場合によっては、図示されていない機械室、あるいは遠隔監視を行う情報センタからの特別の信号で、係止機構を構成する一対の係止部２６，２７の操作を行うものとしてもよい。
【００３３】
脚立機構３０は、床下収納部２４に折畳んだ状態で収納され、展開することで乗りかご１２の室内に立脚することができる機構である。すなわち、開閉可能なパネル２２を開いて床下収納部２４を露出させることで、脚立機構３０を床下収納部２４から引き出して立脚させて脚立として用いることができ、脚立としての利用が終われば、これを折畳んで床下収納部２４に収納し、開閉可能なパネル２２でその開口部を覆うことで、乗りかご１２の床面が平坦なものとして形成される。
【００３４】
図２は、開閉可能なパネル２２を開いて脚立機構３０を立脚させたときの正面図、図３は、脚立機構３０を折畳んで床下収納部２４に収納し、開閉可能なパネル２２でその開口部を覆ったときの平面図である。図３に示されるように、開閉可能なパネル２２の平面数法は長さ方向がＬで、幅方向がＷである。このＬ×Ｗは、１５枚の室内床パネル２０のそれぞれと同一寸法である。また、床下収納部２４の深さ方向の寸法はＳである。脚立機構３０は、折畳んだときに、Ｌ×Ｗ×Ｓの空間に収納されるように、以下の構造を有する。
【００３５】
図２、図３に示されるように、開閉可能なパネル２２は、その一端側において隣接する室内床パネル２０の１つとヒンジ機構２８によって開閉可能に支持される。そして、ヒンジ機構が設けられる一端側と反対側の他端側に引出取手２９が設けられる。作業員は、脚立機構３０を引き出す際に、この引出取手２９を用いることで、開閉可能なパネル２２を片開き扉のようにして開き、床下収納部２４を露出させることができる。
【００３６】
図２、図３に示されるように、床下収納部２４には、２つの回転中心軸３２，３４が設けられる。これらの２つの回転中心軸３２，３４は、開閉可能なパネル２２のヒンジ機構２８の開閉軸に平行な方向、つまり、幅方向であるＷ方向に沿って床下収納部２４に差し渡されている。
【００３７】
これらの２つの回転中心軸３２，３４は、脚立機構３０を構成する一方脚５０と他方脚５４とをそれらの一端部で回転可能に支持する機能を有する円筒状軸部材である。したがって、回転中心軸３２，３４は、一方脚回転中心軸、他方脚回転中心軸と呼ぶことができる。場合によっては、回転中心軸３２，３４を床下収納部２４に差し渡す２本の軸としないで、床下収納部２４の向かい合う側壁にそれぞれ設けられる２対の短い円筒状の回転支持部として構成することもできる。
【００３８】
脚立機構３０は、複数の回転中心軸と、これらの回転中心軸の間に設けられる剛体要素とで構成される一種のリンク機構である。具体的には、剛体要素として、作業者の足を乗せるための乗り板５２と、乗り板５２の両側に設けられる一方脚５０と他方脚５４が用いられ、回転中心軸としては、床下収納部２４に設けられる回転中心軸３２，３４と、乗り板５２の両側に設けられる回転中心軸４０，４２が用いられる。
【００３９】
脚立機構３０は、これらの各要素を組み合わせて、以下のように構成される。すなわち、乗り板５２の一方側に設けられる乗り板一方側用の回転中心軸４０と床下収納部２４の一方脚用の回転中心軸３２との間に設けられる一方脚５０と、乗り板５２の他方側に設けられる乗り板他方側用の回転中心軸４２と床下収納部２４の他方脚用の回転中心軸３４との間に設けられる他方脚５４と、一方脚５０と他方脚５４との間を斜めに接続する掛け金部５６とを含んで構成される。
【００４０】
乗り板５２は、作業員の足を乗せられるように、上面側が平板状として構成される剛体要素である。１枚の厚手の金属板で構成することもできるが、軽量化を図るため、適当な厚さの金属板を底面側に開口部を有する蓋状に折り曲げ、上面の平板部を足乗せ部とし、側面の折曲部を回転中心軸４０，４２の接続部とすることが好ましい。乗り板５２は、幅方向であるＷ方向の寸法は、開閉可能なパネル２２の幅方向の寸法Ｗよりもかなり小さく設定される。
【００４１】
乗り板一方側用の回転中心軸４０は、乗り板５２の一方側に接続されて設けられる円筒状部材である。同様に、乗り板他方側用の回転中心軸４２は、乗り板５２の他方側に接続されて設けられる円筒状部材である。接続方法としては、例えば、乗り板５２の折り曲げ部を一方側に幅方向に向かい合って張り出させ、その向かい合っている張出部にそれぞれ穴を設けて、その向かい合っている穴に回転中心軸４０を回転自在にはめ込むものとできる。回転中心軸４２についても、同様に、乗り板５２の折り曲げ部を他方側に幅方向に向かい合って張り出させ、その向かい合っている張出部にそれぞれ穴を設けて、その向かい合っている穴にはめ込むことで、乗り板５２と接続することができる。
【００４２】
一方脚５０は、上記のように、乗り板５２の一方側に設けられる乗り板一方側用の回転中心軸４０と、床下収納部２４の一方脚用の回転中心軸３２との間に設けられる梯子状の部材である。すなわち、図３に示されるように、床下収納部２４に収納される状態で説明すれば、長さ方向であるＬ方向に平行して延びる２本の脚部材と、その２本の脚部材に幅方向であるＷ方向に差し渡された踏板５１とで構成される。そして、２本の脚部材の床下収納部２４側の端部は、回転中心軸３２に回転自在に支持され、踏み板５２側の端部は、回転中心軸４０に回転自在に支持される。具体的には、２本の脚部材の両端部にそれぞれ穴が設けられ、その穴に、回転中心軸３２，４０が回転自在にはめ込まれる。
【００４３】
他方脚５４は、一方脚５０に対応するもう一方の脚で、上記のように、乗り板５２の他方側に設けられる乗り板他方側用の回転中心軸４２と、床下収納部２４の他方脚用の回転中心軸３４との間に設けられる梯子状の部材である。他方脚５４も一方脚５０と同様に、、床下収納部２４に収納される状態で説明すれば、長さ方向であるＬ方向に平行して延びる２本の脚部材と、その２本の脚部材に幅方向であるＷ方向に差し渡された踏板５５とで構成される。そして、２本の脚部材の床下収納部２４側の端部は、回転中心軸３４に回転自在に支持され、踏み板５２側の端部は、回転中心軸４２に回転自在に支持される。具体的には、２本の脚部材の両端部にそれぞれ穴が設けられ、その穴に、回転中心軸３４，４２が回転自在にはめ込まれる。
【００４４】
ここで、図３に示されるように、一方脚５０の幅方向の外側寸法は、他方脚５４の幅方向の内側寸法よりも小さく設定される。このように設定することで、図３に示されるように、脚立機構３０を折畳んだときに、一方脚５０が他方脚５４の内側に収納され、空間利用率が向上する。これにより、床下収納部２４の深さ方向の寸法Ｓを浅くすることができる。
【００４５】
掛け金部５６は、脚立機構３０を立脚させたときに、一方脚５０と他方脚５４との間を斜めに接続する部材である。掛け金部５６の一方端は、一方脚５０の脚部材の中間部に設けられる回転軸４４に接続され、他方端には、はめ込み部が設けられ、他方脚５４の脚部材のやや下方に設けられる止め軸４６に、着脱自在にはめ込まれるように接続される。
【００４６】
脚立機構３０は、床下収納部２４に収納されるときは、次のように折畳まれる。すなわち、一方脚用の回転中心軸３２側から一方脚５０と乗り板５２とを直線状に延ばし、乗り板他方側用の回転中心軸４２側から他方脚５４を他方脚用の回転中心軸３４側へ折り返して折畳まれる。このように、脚立機構３０は、リンク機構としてこれを折り返し形態で折畳むので、床下収納部２４を小さな容積とすることができる。このようにして、
【００４７】
脚立機構３０が折畳まれた状態から引き出されて立脚状態となるときは、図２に示されるように、一方脚５０が回転中心軸３２からほぼ直立状態となり、また他方脚５４も回転中心軸３４からほぼ直立状態となる。回転中心軸３２，３４は回転自由度を有するが、長さ方向であるＬ方向、深さ方向であるＳ方向に移動する自由度を有しない。換言すれば、スライド機構を有しない。
【００４８】
したがって、図３のように折畳んで収納し、引き出すと図２のように立脚するためには、寸法上の制約がある。すなわち、乗り板一方側用の回転中心軸４０と乗り板他方側用の回転中心軸４２との間の間隔距離Ｂが、床下収納部２４に設けられる一方脚用の回転中心軸３２と他方脚用の回転中心軸３４の間の間隔距離Ｄと実質的に同じである。
【００４９】
そして、一方脚用の回転中心軸３２と乗り板一方側用の回転中心軸４０との間の間隔距離Ａは、一方脚５０の長さに対応する寸法であり、他方脚用の回転中心軸３４と乗り板他方側用の回転中心軸４２との間の間隔距離Ｃは、他方脚５４の長さに対応する寸法であるが、（Ａ＋Ｂ）は、図３に示されるように、ほぼ（Ｃ＋Ｄ）と同じである。ほぼ同じというのは、折畳まれたときに、他方脚５４の２つの脚部材の間に一方脚５０が完全には収納されず、積み重ねられる部分があり、その立体的部分の寸法の分だけ、（Ｃ＋Ｄ）の方が（Ａ＋Ｂ）よりも長くなるためである。
【００５０】
かかる構成の作用を以下に説明する。メンテナンス作業として、エレベータの乗りかご１２において、蛍光灯１８を交換する必要があるときは、作業員がその乗りかご１２に乗り、メンテナンス操作盤６２を所定のカギで開け、運転モード切換スイッチ６４を通常モードから点検モードに切り換える。これにより、乗りかご１２はその階に停止した状態となる。
【００５１】
そして、脚立出入スイッチ６６をＯＦＦからＯＮに切り換える。これによって、そのＯＮ信号によって一対の係止部２６，２７で構成される係止機構の係止が解除される。そこで作業員は、乗りかご１２の１５枚の室内床パネル２０の内で中央に配置されており引出取手２９のある開閉可能なパネル２２を、引出取手２９を用いて片開き扉のように開いて、床下収納部２４を露出させる。
【００５２】
床下収納部２４には、脚立機構３０が折畳まれて収納されているので、適当な箇所を持って引き出し、図２のように立脚させ、一方脚５０と他方脚５４との間に掛け金部５６を差し渡して、立脚状態を安定化する。
【００５３】
これによって、脚立機構３０は、床下収納部２４に設けられる回転中心軸３２，３４の上に安定して立脚するので、作業員は、踏板５１，５５を利用して乗り板５２の上に足を乗せ、乗りかご１２の天井に手を伸ばして、蛍光灯１８の交換作業をすることができる。
【００５４】
蛍光灯１８に関する所定のメンテナンス作業が終了すれば、作業員は、乗り板５２から踏板５１，５５を利用して乗りかご１２の室内床に降りる。そして、脚立機構３０において掛け金部５６を外し、次いで、脚立機構３０の適当な箇所を持って、折り畳み、床下収納部２４に収納する。そして、開閉可能なパネル２２を閉じて、床下収納部２４を覆う。
【００５５】
そして、脚立出入スイッチ６６をＯＮからＯＦＦに切り換える。これによって、そのＯＦＦ信号によって一対の係止部２６，２７で構成される係止機構が係止される。係止されたことを確認してから、作業員は、運転モード切換スイッチ６４を点検モードから通常モードに切り換え、メンテナンス操作盤６２を所定のカギで閉める。これによって、エレベータは通常の運転状態に復帰し、一般の利用が可能となる。
【００５６】
上記では、乗り板一方側用の回転中心軸４０と乗り板他方側用の回転中心軸４２との間の間隔距離Ｂが、床下収納部２４に設けられる一方脚用の回転中心軸３２と他方脚用の回転中心軸３４の間の間隔距離Ｄと実質的に同じである。すなわち一方脚５０と他方脚５４が、乗りかご１２の床面にほぼ直立状態となり、一般的な脚立の外観と異なっている。図４は、一般的な脚立の外観に近づけた脚立機構３１の構成を説明する図である。
【００５７】
図４の脚立機構３１では、一方脚５０と他方脚７０が、乗りかご１２の床面に対し斜めとなっている。そのために、他方脚７０は、回転軸７４と中間部材７２を介して回転中心軸３４に接続される。そして、回転軸７４は、他方脚７０と中間部材７２との間を回転自在に接続する。これによって、脚立機構３１は、図２で説明した脚立機構３０よりも回転軸が１つ多く、回転中心軸の間の剛体要素が１つ多いリンク機構となる。回転軸７４を支持するために、床下収納部２４には、支持台８０が設けられる。
【００５８】
このようにして、床下収納部２４にスライド機構を用いることなく、簡単に引き出せて、収納スペースを小さくできる脚立機構を有するエレベータメンテナンス支援システム１０が構成できる。
【符号の説明】
【００５９】
１０  エレベータメンテナンス支援システム、１２  乗りかご、１４  天井、１６  かご扉、１８  蛍光灯、２０  パネル、２０  室内床パネル、２２  開閉可能なパネル、２４  床下収納部、２６，２７  係止部、２８  ヒンジ機構、２９  引出取手、３０，３１  脚立機構、３２，３４，４０，４２  回転中心軸、４４，７４  回転軸、４６  止め軸、５０  一方脚、５１，５５  踏板、５２  乗り板、５４，７０  他方脚、５６  掛け金部、６０  かご操作盤、６２  メンテナンス操作盤、６４  運転モード切換スイッチ、６６  脚立出入スイッチ、６６  係止制御部、７２  中間部材、８０  支持台。
【図１】
2010159153.tif 000003
【図２】
2010159153.tif 000004
【図３】
2010159153.tif 000005
【図４】
2010159153.tif 000006